(57)【要約】【課題】トップトレイガイドに意図しない外力が作用した場合であっても爪部がスリットから外れることがない商品収納ラックを提供すること。【解決手段】手前から投入された商品を一対のラック側板の間に画成された商品収納通路に搬入するトップトレイ３０と、ラック側板の一方から商品収納通路に平行に進出可能な可動側板本体と、可動側板本体に取り付けられ、可動側板本体とともに進出するトップトレイガイド４４とを備え、トップトレイガイド４４に形成され、側方に膨出した爪部４４ａがトップトレイ３０に形成されたスリット３０ａに挿通することにより、トップトレイガイド４４が商品の投入幅を規制するとともに、可動側板本体が商品収納通路の通路幅を規制する商品収納ラックにおいて、トップトレイガイド４４に不用意な外力が加えられた場合に爪部４４ａがスリット３０ａから抜け出さないように、爪部４４ａの端部４４ａ２を折り曲げた。【選択図】        図６
2009015732.tif 000002
【特許請求の範囲】
【請求項１】
手前から奥方に向けて漸次低くなるように傾斜して配設され、手前から投入された商品を一対のラック側板の間に画成された商品収納通路に搬入するトップトレイと、前記ラック側板の一方から前記商品収納通路に平行に進出可能な可動側板本体と、前記可動側板本体に取り付けられ、前記可動側板本体とともに進出するトップトレイガイドとを備え、前記トップトレイガイドに形成され、側方に膨出した爪部が前記トップトレイに形成されたスリットに挿通することにより、トップトレイガイドが商品の投入幅を規制するとともに、可動側板本体が商品収納通路の通路幅を規制する商品収納ラックにおいて、
前記トップトレイガイドに不用意な外力が加えられた場合に爪部がスリットから抜け出さないように、爪部の端部を折り曲げたことを特徴とする商品収納ラック。
【請求項２】
端部の折り曲げ方向が投入幅を広げる方向と一致することを特徴とする請求項１に記載の商品収納ラック。
【発明の詳細な説明】
【技術分野】
【０００１】
本発明は、缶入り飲料やビン入り飲料、あるいはペットボトル入り飲料等の商品を販売する自動販売機の内部に画成された商品収納庫に収容される商品収納ラックに関し、特に、商品収納ラックの内部に画成される商品収納通路の通路幅を調整可能とした商品収納ラックに関するものである。
【背景技術】
【０００２】
缶入り飲料、ビン入り飲料、あるいはペットボトル入り飲料等の商品を販売する自動販売機の内部に画成された商品収容庫に収容される商品収納ラックが広く知られている。このような商品収納ラックは、略円筒形（多角形のものも含む）で、かつ強度の高い容器に収容した商品の収納に適したサーペンタイン方式の商品収納通路が採用されている。
【０００３】
サーペンタイン方式の商品収納通路は、横倒し姿勢で投入された商品を消勢するとともに、内部に商品を収納するものであり、手前側と奥側とに湾曲形状をしたセグメントが互いに対向するように、ラック側板間に適宜連設することによって、上下方向に蛇行するように延設されている。そして、その上端側が商品の投入側となり、下端側が商品の搬出側となる。この商品収納通路に投入された商品は、商品収納通路を通過する際の衝撃で容器が破損／変形することがない。
【０００４】
また、商品収納ラックは、商品収納通路ごとにトップトレイを備えている。トップトレイは、自動販売機の前方から奥方の商品収納通路に商品を搬入するための板状体であって、自動販売機の前方から奥方に向けて漸次低くなるように傾斜した状態で配設してある。トップトレイには、横倒し姿勢となった商品のサイズに対応するようにサイズごとに一対のスリットが形成してあり、これらのスリットには、後述するトップトレイガイドの爪部が挿通するようになっている。
【０００５】
また、商品収納ラックは、商品収納通路ごとに可動側板を備えている。可動側板は、ラック側板の一方から商品収納通路に平行に進出可能であって、商品収納通路の通路幅を規制可能である。可動側板は、可動側板本体と連結板（スライダ）とを有し、可動側板本体の商品収納通路に臨む面には、凹条が形成してある。凹条には、連結板が嵌挿してあり、可動側板本体は、連結板に対してスライド可能となっている。連結板は、可動側板本体を挿通した上下一対のリンクによって一方のラック側板に取り付けてあり、上下一対のリンク、連結板及び一方のラック側板は、平行リンクを構成する。したがって、連結板は、ラック側板と平行な状態を維持して商品収納通路に進出可能であり、この連結板に対してスライド可能な可動側板本体もラック側板に平行に進出するようになっている。
【０００６】
また、可動側板本体には、トップトレイガイドが取り付けてあり、可動側板本体とともに進出するようになっている。トップトレイガイドの下縁には、側方に膨出した一対の爪部が設けてある。この爪部がトップトレイに形成した矩形のスリットに挿通することにより、トップトレイにトップトレイガイド、すなわち可動側板が固定されるようになっている。
【０００７】
したがって、横倒し姿勢となった商品のサイズが商品収納通路の通路幅よりも短い場合には、可動側板を商品収納通路に進出させ、トップトレイにトップトレイガイドを固定することにより、横倒し姿勢となった商品のサイズに合わせて、商品の投入幅を規制するとともに商品収納通路の通路幅を規制するようになっている。このため、横倒し姿勢となった商品のサイズが商品収納通路の通路幅よりも小さい場合であっても、可動側板により商品の投入幅及び商品収納通路の通路幅を規制すれば、横倒し姿勢で投入した商品が商品収納通路の内部で詰まることがない。
【０００８】
また、側方に膨出した爪部が矩形のスリットに挿通することにより、可動側板がトップトレイに固定されるので、スリットを加工する金型の寿命が短くなるような幅（例えば、２．５ｍｍ以下）にスリットの幅を設定する必要がない（例えば、特許文献１参照）。
【０００９】
【特許文献１】特開２００３−３０８５６５号公報
【発明の開示】
【発明が解決しようとする課題】
【００１０】
しかしながら、商品を補充する場合などにトップトレイガイドに手が触れて意図しない外力がトップトレイガイドに作用すると、爪部がスリットから外れてしまう虞れがあった。
【００１１】
本発明は、上記実情に鑑みて、トップトレイガイドに意図しない外力が作用した場合であっても爪部がスリットから外れることがない商品収納ラックを提供することを目的とする。
【課題を解決するための手段】
【００１２】
上記の目的を達成するために、本発明の請求項１に係る商品収納ラックは、手前から奥方に向けて漸次低くなるように傾斜して配設され、手前から投入された商品を一対のラック側板の間に画成された商品収納通路に搬入するトップトレイと、前記ラック側板の一方から前記商品収納通路に平行に進出可能な可動側板本体と、前記可動側板本体に取り付けられ、前記可動側板本体とともに進出するトップトレイガイドとを備え、前記トップトレイガイドに形成され、側方に膨出した爪部が前記トップトレイに形成されたスリットに挿通することにより、トップトレイガイドが商品の投入幅を規制するとともに、可動側板本体が商品収納通路の通路幅を規制する商品収納ラックにおいて、前記トップトレイガイドに不用意な外力が加えられた場合に爪部がスリットから抜け出さないように、爪部の端部を折り曲げたことを特徴とする。
【００１３】
また、本発明の請求項２に係る商品収納ラックは、上記請求項１において、端部の折り曲げ方向が投入幅を広げる方向と一致することを特徴とする。
【発明の効果】
【００１４】
本発明に係る商品収納ラックは、商品の補充時等のように、トップトレイガイドに意図しない外力が作用しても爪部がスリットから抜き去り不能となるので、可動側板本体及びトップトレイガイドも移動することがない。一方、商品の入替時のように、トップトレイガイドを商品のサイズに合わせて設定する場合には、爪部がスリットから抜き取り可能となるので、入れ替える商品のサイズに対応させて可動側板本体及びトップトレイガイドを適宜移動させることができる。
【発明を実施するための最良の形態】
【００１５】
以下に添付図面を参照して、本発明に係る商品収納ラックの好適な実施の形態を詳細に説明する。なお、この実施の形態によりこの発明が限定されるものではない。
【００１６】
図１は本発明の実施の形態である商品収納ラックを内蔵した自動販売機を示す斜視図、図２は本発明の実施の形態である商品収納ラックの側断面図である。
【００１７】
本発明の実施の形態である商品収納ラック１０を内蔵した自動販売機は、缶入り飲料、ビン入り飲料、またはペットボトル入り飲料等を販売するものである。この自動販売機は、本体キャビネット１を備えている。本体キャビネット１は、複数の鋼材を適宜組み合わせることにより構成したもので、前面が開口した箱状を呈している。
【００１８】
本体キャビネット１の左側縁部には、外扉２と内扉３とが支承してある。この外扉２の前面には、缶入り飲料やペットボトル入り飲料等の商品の見本を展示するための展示室、商品を選択するための選択ボタン、貨幣を投入するための貨幣投入口、払い出された商品を取り出すための商品取出口等、商品の販売に必要となる構成が配設してある。内扉３は、断熱材によって構成したもので、本体キャビネット１の前面開口を開閉すべく、本体キャビネット１と外扉２との間に配設してある。
【００１９】
本体キャビネット１の内部は、仕切板４（床板）によって商品収容室５と機械室６とに画成されている。商品収容室５は、本体キャビネット１の内部上方に画成され、機械室６は、本体キャビネット１の内部下方に画成されている。
【００２０】
図１に示すように、商品収容室５は、さらに、二つの仕切板７によって三つの商品収容庫５ａ，５ｂ，５ｃに画成されている。これら三つの商品収容庫５ａ，５ｂ，５ｃは、本体キャビネット１の幅方向に並設される。以下の説明において、正面向かって左側となる商品収容庫を「左庫５ａ」、中央となる商品収容庫を「中庫５ｂ」、右側となる商品収容庫を「右庫５ｃ」と称する。
【００２１】
図１に示す自動販売機では、左庫５ａと右庫５ｃとには、本体キャビネット１の幅方向に二列の商品収納ラック１０が収容され、中庫５ｂには、本体キャビネット１の幅方向に一列の商品収納ラックが収容されている。
【００２２】
また、図２に示すように、左庫５ａ、中庫５ｂ、右庫５ｃには、前後方向に６列の商品収納通路を画成するように三つの商品収納ラック１０が収納されている。したがって、左庫５ａと右庫５ｃとにはそれぞれ１２種類の商品を収納することができ、中庫５ｂには６種類の商品を収納することができる。このため、この自動販売機は、３０種類の商品が収納でき、これらを要求に応じて販売することができるようになっている。
【００２３】
また、図１に示すように、商品収容庫５ａ，５ｂ，５ｃの内部下方には、シュータ８が配設してある。シュータ８は、商品収納ラック１０から搬出された商品を商品取出口に搬出するためのもので、奥方から前方に向けて漸次低くなるように傾斜した状態で配設された板状部材である。したがって、商品収納ラック１０から搬出された商品は、シュータ８を転動又は滑走することにより商品取出口に搬出される。
【００２４】
商品収納ラック１０は、略円筒形（多角形のものも含む）で、かつ強度の高い容器に収容した商品の収納に適したサーペンタイン方式が採用されている。サーペンタイン方式の商品収納ラック１０は、横倒し姿勢で搬入された商品の勢いを消勢するとともに内部に商品を収納するものであり、図２及び図３に示すように、一対のラック側板１２の間に湾曲形状をしたセグメント１３が互いに対向するように配設することによって、商品収納通路１１が蛇行するように画成されている。したがって、商品収納通路１１に搬入された商品は、商品収納通路１１を通過する際の衝撃で容器が破損／変形することがない。なお、商品収納通路１１は、上端が商品の搬入口となり、下端が商品の搬出口となる。
【００２５】
商品収納通路１１の搬出口には、ベンドメック１４が取り付けてある。ベンドメック１４は、ペダル、ベンドソレノイド及びリンク機構により構成され、商品収納通路１１を通過して一番下まで到達した商品はベンドメック１４（ペダル）で留まり、次の商品はその上に積み上げられて商品収納通路１１内に次々と収納されることになる。
【００２６】
商品収納ラック１０は、商品収納通路１１ごとにトップトレイ３０を備えている。トップトレイ３０は、図２に示すように、自動販売機の前方から奥方の商品収納通路１１に商品を搬入するためのものである。トップトレイ３０は、自動販売機の前方から奥方（商品収納通路の搬入口）に向けて漸次低くなるように傾斜した状態で配設される板状部材である。
【００２７】
トップトレイ３０は、上下方向に並設され、上下方向に隣接したトップトレイ相互間に商品投入口３１が画成される。そして、商品投入口３１から横倒し姿勢で投入された商品は、トップトレイ３０を転動または滑走することにより、搬入口から商品収納通路１１に搬入されるようになっている。
【００２８】
トップトレイ３０には、横倒し姿勢となった商品のサイズに対応するようにサイズごとに一対のスリット３０ａ（図６参照）が形成してあり、これらのスリット３０ａには、後述するトップトレイガイド４４の爪部４４ａが挿通するようになっている。
【００２９】
また、図３に示すように、商品収納ラック１０は、商品収納通路１１ごとに可動側板４０を備えている。可動側板４０は、ラック側板１２から商品収納通路１１に進出可能であって、商品収納通路１１の通路幅を規制可能である。図４に示すように、可動側板４０は、可動側板本体４１と連結板（スライダ）４２とを有し、可動側板本体４１の商品収納通路１１に臨む面（図４において手前側）には、凹条４１ａが形成してある。凹条４１ａには、連結板４２が嵌挿してあり、可動側板本体４１は、連結板４２に対してスライド可能となっている。連結板４２は、可動側板本体４１を挿通した上下一対のリンク４３によって一方のラック側板１２に取り付けてあり、上下一対のリンク４３、連結板４２及び一方のラック側板１２は、平行リンクを構成する。したがって、連結板４２は、ラック側板１２と平行な状態を維持して商品収納通路１１に進出可能であり、この連結板４２に対してスライド可能な可動側板本体４１もラック側板１２に平行に進出するようになっている。
【００３０】
また、可動側板本体４１には、トップトレイガイド４４が取り付けてあり、可動側板本体４１とともに進出するようになっている。トップトレイガイド４４は、トップトレイ３０に投入される商品の投入幅（商品が投入されるラック側板１２とトップトレイガイド４４との間隔）を規制するものであって、上下方向に隣接したトップトレイ相互間を移動することができるように、手前から奥方に向けた漸次低くなるように形成してある。
【００３１】
図５に示すように、トップトレイガイド４４の下縁には、一対の爪部４４ａが設けてある。爪部４４ａは、ビード加工により膨出させた膨出部４４ａ１を有している。膨出部４４ａ１は、投入幅が狭くなる方向に向けて膨出しており、図６に示すように、爪部４４ａをトップトレイ３０に形成されたスリット３０ａに挿通した場合に、スリット３０ａとの間において爪部４４ａががたつくことがないようになっている。
【００３２】
また、図６に示すように、爪部４４ａの端部４４ａ２は、商品収納通路１１に商品が収納された場合に爪部４４ａがスリット３０ａから抜き去り不能となる一方、商品収納通路１１に商品が収納されていない場合に爪部４４ａがスリット３０ａから抜き取り可能となるように、投入幅が広くなる方向に折り曲げてある。
【００３３】
上述した本発明の実施の形態である商品収納ラック１０によれば、商品補充時に不用意にトップトレイガイド４４に外力が加わっても、トップトレイガイド４４の爪部４４ａの端部４４ａ２がトップトレイ３０に形成したスリット３０ａの縁部と干渉することになり、爪部４４ａがスリット３０ａから抜き去り不能となる。したがって、商品収納通路１１に商品が収納された状態で意図しない外力がトップトレイガイド４４に作用した場合であっても、爪部４４ａがスリット３０ａから外れてしまうことはない。
【００３４】
一方、トップトレイガイド４４を商品のサイズに合わせて設定する場合には、可動側板４０は商品収納通路１１に進出する方向、すなわち、トップトレイガイド４４が投入幅を狭くする方向に移動可能となる。このとき、トップトレイガイド４４の爪部４４ａの端部４４ａ２がトップトレイ３０に形成したスリット３０ａの縁部を回避することにより、爪部４４ａがスリット３０ａから抜き取り可能となる。したがって、商品収納通路１１に商品が収納されていない状態で、収納する商品のサイズに対応させて、可動側板４０を適宜移動させることができる。
【図面の簡単な説明】
【００３５】
【図１】本発明の実施の形態である商品収納ラックを収容した自動販売機を示す斜視図である。
【図２】本発明の実施の形態である商品収納ラックの側断面図である。
【図３】商品収納通路と可動側板との関係を示す側断面図である。
【図４】トップトレイと可動側板との関係を示す側面図である。
【図５】トップトレイとトップトレイガイドとを示す側面図である。
【図６】図５に示した爪部とスリットとを示す拡大断面図である。
【符号の説明】
【００３６】
１    本体キャビネット
５    商品収容室
５ａ    左庫（商品収容庫）
５ｂ    中庫（商品収容庫）
５ｃ    右庫（商品収容庫）
１０    商品収納ラック
１１    商品収納通路
１２    ラック側板
１３    セグメント
３０    トップトレイ
３０ａ    スリット
３１    商品投入口
４０    可動側板
４１    可動側板本体
４２    連結板
４３    リンク
４４    トップトレイガイド
４４ａ    爪部
４４ａ１    膨出部
４４ａ２    端部
【図１】
2009015732.tif 000003
【図２】
2009015732.tif 000004
【図３】
2009015732.tif 000005
【図４】
2009015732.tif 000006
【図５】
2009015732.tif 000007
【図６】
2009015732.tif 000008